(57)【特許請求の範囲】
【請求項１】
カードに搭載される電源と、
前記カードに配線される信号線路と、
前記電源から前記信号線路に電圧または電流を印加し、前記信号線路の断線による電気的状態変化を検知する検知手段と、
前記電源から供給される電力により動作し、前記検知手段が前記信号線路の電気的状態変化を検知したときに、その検知情報を無線信号として送信する無線送信手段とを備え、
前記カードに対して人為的操作を加えて前記信号線路を断線させたときに、前記無線信号として送信される前記検知情報により前記カードの状態通知を行う構成であり、
前記信号線路は少なくとも２つあり、前記検知手段は１つの信号線路の断線による電気的状態変化を検知したときに他の信号線路の電気的状態変化の検知を有効とし、前記無線送信手段に対して前記検知情報の送信を指示する構成である
ことを特徴とする状態通知機能付きカード。
【請求項２】
請求項１に記載の状態通知機能付きカードにおいて、
前記信号線路を断線させる部分は導電性銀ペーストで形成され、導電性銀ペーストを削ることにより断線させる構成である
ことを特徴とする状態通知機能付きカード。
【請求項３】
請求項１に記載の状態通知機能付きカードにおいて、
前記信号線路を断線させる部分は、ビニール加工、樹脂加工、および印刷加工のいずれかによって形成された信号線路、または、細線および薄膜のいずれかで形成された信号線路と、前記カードに形成された断線手段の組み合わせからなり、断線手段に対する人為的操作により信号線路を断線させる構成である
ことを特徴とする状態通知機能付きカード。
【請求項４】
請求項３に記載の状態通知機能付きカードにおいて、
前記断線手段は、カードに形成されたミシン目であり、ミシン目を押し破るまたはミシン目に沿ってカードを切り取ることにより信号線路を断線させる構成である
ことを特徴とする状態通知機能付きカード。
【請求項５】
請求項１〜請求項４のいずれかに記載の状態通知機能付きカードにおいて、
前記無線送信手段は、前記検知情報とともにカードを識別するカードＩＤを無線信号として送信する構成である
ことを特徴とする状態通知機能付きカード。
【請求項６】
前記検知情報および前記カードＩＤを無線信号として送信する請求項５に記載の状態通知機能付きカードと、
前記無線送信手段から送信される無線信号を受信する無線基地局と、
前記無線基地局から転送される前記カードＩＤと検知情報を記録するデータセンタと
を備えたことを特徴とするカード情報管理システム。
【発明の詳細な説明】
【技術分野】
【０００１】
本発明は、スクラッチカードの塗膜層を削ったこと、ビンゴゲーム用のビンゴカードのミシン目に沿って押し破ったこと、荷物取り付け用タグやチケットなどの半券を切り取ったことなどを電気的に検知し、その状態を外部に通知する状態通知機能付きカードに関する。また、本発明は、本発明の状態通知機能付きカードと組み合わせ、状態通知機能付きカードから無線信号で送信されるカード状態を示す情報を収集するカード情報管理システムに関する。
【背景技術】
【０００２】
スクラッチカードの塗膜層を削ったこと、ビンゴカードのミシン目に沿って押し破ったこと、荷物取り付け用タグやチケットなどの半券を切り取ったことなどは、その現物を目視することによりその状態を確認できる。従来は、スクラッチカードの塗膜層に工夫がされていたり、ビンゴカードの使い方などが各種提案されているが、各カードの状態を認識するのは目視以外になかった。
【特許文献１】特開平５−３１７５８４号公報
【特許文献２】特開平１１−３４５６５号公報
【発明の開示】
【発明が解決しようとする課題】
【０００３】
スクラッチカードの塗膜層を削ったこと、ビンゴカードのミシン目に沿って押し破ったこと、荷物取り付け用タグやチケットなどの半券を切り取ったことなどの状態を目視に頼らず、電気的に検知して情報として収集・取得することができれば便利である。例えば、荷物取り付け用タグやチケットなどの半券を切り取ったときに、そのタグやチケットの情報を取得することができれば、半券の集計処理などを行う必要がなくなる。
【０００４】
本発明は、カードに対して人為的操作を加えて生じさせた状態変化を電気的に検知し、その検知情報を外部に通知することができる状態通知機能付きカードを提供することを目的とする。
【０００５】
また、本発明は、本発明の状態通知機能付きカードと組み合わせ、状態通知機能付きカードから無線信号で送信されるカード状態を示す情報を収集することができるカード情報管理システムを提供することを目的とする。
【課題を解決するための手段】
【０００６】
本発明の状態通知機能付きカードは、カードに搭載される電源と、カードに配線される信号線路と、電源から信号線路に電圧または電流を印加し、信号線路の断線による電気的状態変化を検知する検知手段と、電源から供給される電力により動作し、検知手段が信号線路の電気的状態変化を検知したときに、その検知情報を無線信号として送信する無線送信手段とを備え、カードに対して人為的操作を加えて信号線路を断線させたときに、無線信号として送信される検知情報によりカードの状態通知を行う構成であり、信号線路は少なくとも２つあり、検知手段は１つの信号線路の断線による電気的状態変化を検知したときに他の信号線路の電気的状態変化の検知を有効とし、無線送信手段に対して検知情報の送信を指示する構成である。
【０００７】
本発明の状態通知機能付きカードにおいて、信号線路を断線させる部分は導電性銀ペーストで形成され、導電性銀ペーストを削ることにより断線させる構成としてもよい。
【０００８】
また、本発明の状態通知機能付きカードにおいて、信号線路を断線させる部分は、ビニール加工、樹脂加工、および印刷加工のいずれかによって形成された信号線路、または、細線および薄膜のいずれかで形成された信号線路と、カードに形成された断線手段の組み合わせからなり、断線手段に対する人為的操作により信号線路を断線させる構成としてもよい。この断線手段は、カードに形成されたミシン目であり、ミシン目を押し破るまたはミシン目に沿ってカードを切り取ることにより信号線路を断線させる構成としてもよい。
【００１１】
また、本発明の状態通知機能付きカードにおいて、無線送信手段は、検知情報とともにカードを識別するカードＩＤを無線信号として送信する構成としてもよい。
【００１２】
本発明のカード情報管理システムは、検知情報とともにカードを識別するカードＩＤを無線信号として送信する本発明の状態通知機能付きカードと、無線送信手段から送信される無線信号を受信する無線基地局と、無線基地局から転送されるカードＩＤと検知情報を記録するデータセンタとを備える。
【発明の効果】
【００１３】
本発明の状態通知機能付きカードは、カードに対して人為的操作を加えて生じさせた状態変化を電気的に検知し、その検知情報を無線信号により外部に通知することができる。
【００１４】
本発明のカード情報管理システムは、本発明の状態通知機能付きカードと組み合わせることにより、状態通知機能付きカードから無線信号で送信されるカード状態を示す情報を収集することができる。
【発明を実施するための最良の形態】
【００１５】
（スクラッチカードの例）
図１は、本発明の状態通知機能付きカードの第１の実施形態を示す。ここでは、削る部分が１つのスクラッチカードに適用した例を示す。
【００１６】
図において、スクラッチカード１０Ａは、電源１１、信号線路１２、検知部１３、無線送信部１４を備え、さらに信号線路１２を断線させる部分に導電性銀ペースト１５を配置した構成である。この導電性銀ペースト１５が通常のスクラッチカードの塗膜層に相当する。電源１１は、薄膜電池、圧電素子電池、熱電素子電池、太陽電池、自然エネルギー電池などを用いることによりカードへの搭載が可能である。また、検知部１３および無線送信部１４は、ＣＭＯＳトランジスタや有機トランジスタを用いて構成することができ、アンテナ素子を含めてカードへの搭載が可能である。
【００１７】
各部は、電気的には図２に示すように、電源１１、信号線路１２、検知部１３の抵抗器１３１および導電性銀ペースト１５が直列に接続され、抵抗器１３１と導電性銀ペースト１５との間に電圧検出部１３２が接続される。電圧検出部１３２は、導電性銀ペースト１５が削られていないときは低電位を検知し、削られたときに高電位を検知する構成とすると、導電性銀ペースト１５が削られて高電位を検出したときに、その検知情報を無線送信部１４に出力する。無線送信部１４も電源１１から電力の供給を受け、入力する検知情報を無線信号として送信する構成である。このとき、検知部１３または無線送信部１４では、検知情報にカードを識別するカードＩＤを加えて送信するようにしてもよい。
【００１８】
これにより、当該カードをスクラッチカードとして使用する際に、導電性銀ペースト１５の部分を削った場合には、対応する検知情報を無線信号として送信することにより、その受信側に当該スクラッチカードが削られたことを通知することができる。
【００１９】
図３は、本発明の状態通知機能付きカードの第２の実施形態を示す。ここでは、削る部分が複数あるスクラッチカードに適用した例を示す。
【００２０】
本実施形態のスクラッチカード１０Ｂの特徴は、複数の信号線路１２−１〜１２−３および導電性銀ペースト１５−１〜１５−３を備え、それぞれに固有の信号線番号が設定され、検知部１３は導電性銀ペースト１５−１〜１５−３がそれぞれ削られたことを各信号線番号に対応付けて個別に検知する構成とする。基本的な回路構成は第１の実施形態と同様である。これにより、当該スクラッチカードに削る部分を複数設けても、各部分ごとに削られたことを個別に通知することができる。
【００２１】
図４は、本発明の状態通知機能付きカードの第３の実施形態を示す。ここでは、第２の実施形態と同様に削る部分が複数あるスクラッチカードに適用した例を示す。
【００２２】
本実施形態のスクラッチカード１０Ｃの特徴は、複数の信号線路１２−１〜１２−４および導電性銀ペースト１５−１〜１５−４を備え、それぞれに固有の信号線番号が設定され、検知部１３は導電性銀ペースト１５−１〜１５−３がそれぞれ削られたことを各信号線番号に対応付けて個別に検知するとともに、導電性銀ペースト１５−４が削られたことを検知したときに導電性銀ペースト１５−１〜１５−３の検知情報の全部または一部を有効として送信する構成とする。基本的な回路構成は第２の実施形態と同様である。なお、複数の信号線路１２−１〜１２−３および導電性銀ペースト１５−１〜１５−３は、第１の実施形態と同様にそれぞれ１つであってもよい。
【００２３】
これにより、当該スクラッチカードが削られたことを通知することができるとともに、無線送信部１４から検知情報を送信するタイミングについて、導電性銀ペースト１５−４を削る操作により任意に設定することができる。すなわち、スクラッチカードとして削ることと、その検知情報を送信するタイミングが別になり、例えば検知情報の送信タイミングをスクラッチカードの操作確定タイミングとして利用することができる。
【００２４】
（ビンゴカードの例）
図５は、本発明の状態通知機能付きカードの第４の実施形態を示す。ここでは、ビンゴカードに適用した例を示す。
【００２５】
第１〜第３の実施形態に示すスクラッチカード１０Ａ〜１０Ｃと、本実施形態のビンゴカード１０Ｄの違いは、信号線路１２を断線させる部分に配置した導電性銀ペースト１５に代えて、信号線路１２を横断するようにミシン目１６を形成し、ミシン目１６を押し破ることにより信号線路１２が断線する構成としたところにある。信号線路１２としては、ビニール加工または樹脂加工または印刷加工または細線または薄膜で形成された信号線など、ミシン目１６を押し破る力により容易に断線するものであればよい。ここでは、第１の実施形態に対応して１つの信号線路１２および１つのミシン目１６を用いた例を示すが、第２の実施形態および第３の実施形態のように、信号線路１２およびミシン目１６が複数あっても同様である。
【００２６】
（荷物取り付け用タグの例）
図６は、本発明の状態通知機能付きカードの第５の実施形態を示す。ここでは、第１の実施形態として示した信号線路の断線部分が１つのスクラッチカードの実施形態を荷物取り付け用タグに適用した例を示す。
【００２７】
第１の実施形態に示すスクラッチカード１０Ａと、本実施形態の荷物取り付け用タグ１０Ｅの違いは、信号線路１２を断線させる部分に配置した導電性銀ペースト１５に代えて、信号線路１２および荷物取り付け用タグ１０Ｅを横断するようにミシン目１７を形成し、ミシン目１７に沿ってカードを切り取ることにより信号線路１２が断線する構成としたところにある。信号線路１２としては、ビニール加工または樹脂加工または印刷加工または細線または薄膜で形成された信号線など、ミシン目１７に沿ってタグを切り取る力により容易に断線するものであればよい。
【００２８】
図７は、本発明の状態通知機能付きカードの第６の実施形態を示す。ここでは、第２の実施形態として示した信号線路の断線部分が複数あるスクラッチカードの実施形態を荷物取り付け用タグに適用した例を示す。
【００２９】
第２の実施形態に示すスクラッチカード１０Ｂと、本実施形態の荷物取り付け用タグ１０Ｆの違いは、信号線路１２−１〜１２−３を断線させる部分に配置した導電性銀ペースト１５−１，１５−３に代えて、信号線路１２−１，１２−２を横断するようにミシン目１７−１，１７−２を形成し、ミシン目１７−１，１７−２に沿ってタグを切り取ることにより信号線路１２−１，１２−２が断線する構成としたところにある。信号線路１２としては、ビニール加工または樹脂加工または印刷加工または細線または薄膜で形成された信号線など、ミシン目１７に沿ってタグを切り取る力により容易に断線するものであればよい。
【００３０】
なお、ミシン目１７−１，１７−２は、タグを切り取る位置に応じて設定され、切り取りパターンに応じた検知情報を送信することができる。例えば、ミシン目１７−１に沿ってタグを切り取ることにより信号線路１２−１が断線し、さらにミシン目１７−２に沿ってタグを切り取ることにより信号線路１２−２が断線する。また、最初にミシン目１７−２に沿ってタグを切り取った場合には、信号線路１２−１，１２−２が同時に断線する。それぞれの断線パターンを検知情報として通知することができる。
【００３１】
図８は、本発明の状態通知機能付きカードの第７の実施形態を示す。ここでは、第３の実施形態として示した信号線路の断線部分が複数あるスクラッチカードの実施形態を荷物取り付け用タグに適用した例を示す。
【００３２】
第３の実施形態に示すスクラッチカード１０Ｃと、本実施形態の荷物取り付け用タグ１０Ｇの違いは、信号線路１２−１〜１２−４を断線させる部分に配置した導電性銀ペースト１５−１〜１５−４に代えて、信号線路１２−１〜１２−３を横断するようにミシン目１７−１〜１７−３を形成するところにある。ミシン目１７−１，１７−２に沿ってカードを切り取ることにより信号線路１２−１，１２−２が断線し、さらにミシン目１７−３に沿ってカードを切り取ることにより信号線路１２−３が断線する構成である。信号線路１２としては、ビニール加工または樹脂加工または印刷加工または細線または薄膜で形成された信号線など、ミシン目１７に沿ってタグを切り取る力により容易に断線するものであればよい。
【００３３】
ミシン目１７−１，１７−２は、タグを切り取る位置に応じて設定され、第６の実施形態に示したように切り取りパターンに応じた検知情報を送信することができる。また、ミシン目１７−３はタグ自体を取り外す位置に形成され、タグ自体を取り外したときにそれまでに切り取った位置に応じた検知情報の全部または一部を送信する。また、ミシン目１７−１で切り取ったときをタグの使用開始、ミシン目１７−３で切り取ったときをタグの使用終了とする利用方法も可能である。
【００３４】
なお、以上示した荷物取り付け用タグの形態は、入場チケットなどにも適用することができる。入場チケットなどに用いた場合には、半券を切り取ったときに、その情報を通知することにより集計処理などに利用することができる。
【００３５】
（カード情報管理システム）
図９は、本発明のカード情報管理システムの構成例を示す。ここでは、第５の実施形態に示す荷物取り付け用タグ１０Ｅを用いたカード情報管理システムの例を示す。
【００３６】
図において、荷物取り付け用タグ１０Ｅのミシン目１７に沿って切り取ると、タグＩＤと切り取ったことを示す検知情報が無線基地局２０に送信される。無線基地局２０にはデータセンタ３０が接続され、無線基地局２０から転送されるタグＩＤと検知情報を記録する。無線基地局２０からデータセンタ３０への転送は、無線基地局２０がタグＩＤと検知情報を受信したときに直ちに行ってよいし、無線基地局２０に一旦蓄積し、例えばデータセンタ３０からのポーリングに対して蓄積したタグＩＤと検知情報を転送するようにしてもよい。
【００３７】
また、荷物取り付け用タグ１０Ｅと無線基地局２０との間の通信形態は、既存の移動体通信システムにおける移動局（携帯電話）と無線基地局との関係に置き換えることも可能である。この場合には、公衆網を介してデータセンタ３０のデータベースにタグＩＤと検知情報を収集することができる。この形態では、データセンタ３０に利用者から荷物の配送状況の問い合わせがあった場合でも、容易かつ迅速に対応することが可能となる。
【００３８】
また、このようなカード情報管理システムは、第１〜第３の実施形態で示したスクラッチカード、第４の実施形態で示したビンゴカードの情報収集にも適用することができる。スクラッチカードの購入者が削った位置に対応する検知情報とカードＩＤを無線基地局２０を介してデータセンタ３０であるカード会社に送信する。カード会社では、発行したスクラッチカードについて後日抽選を行い、当選したスクラッチカードを決定する。スクラッチカードの購入者は、カード会社に対してカードＩＤで問い合わせを行うことにより、当選の有無を確認することができる。
【図面の簡単な説明】
【００３９】
【図１】本発明の状態通知機能付きカードの第１の実施形態を示す図。
【図２】第１の実施形態の検知部１３の構成例を示す図。
【図３】本発明の状態通知機能付きカードの第２の実施形態を示す図。
【図４】本発明の状態通知機能付きカードの第３の実施形態を示す図。
【図５】本発明の状態通知機能付きカードの第４の実施形態を示す図。
【図６】本発明の状態通知機能付きカードの第５の実施形態を示す図。
【図７】本発明の状態通知機能付きカードの第６の実施形態を示す図。
【図８】本発明の状態通知機能付きカードの第７の実施形態を示す図。
【図９】本発明のカード情報管理システムの構成例を示す図。
【符号の説明】
【００４０】
１０Ａ，１０Ｂ，１０Ｃ  スクラッチカード
１０Ｄ  ビンゴカード
１０Ｅ，１０Ｆ，１０Ｇ  荷物取り付け用タグ
１１  電源
１２  信号線路
１３  検知部
１４  無線送信部
１５  導電性銀ペースト
１６，１７  ミシン目
２０  無線基地局
３０  データセンタ
１３１  抵抗器
１３２  電圧検出部
【図１】
0004841942.tif 000002
【図２】
0004841942.tif 000003
【図３】
0004841942.tif 000004
【図４】
0004841942.tif 000005
【図５】
0004841942.tif 000006
【図６】
0004841942.tif 000007
【図７】
0004841942.tif 000008
【図８】
0004841942.tif 000009
【図９】
0004841942.tif 000010